(57)【特許請求の範囲】
【請求項１】
コンピュータが、
土地が撮影された土地画像と当該土地画像に含まれる土地の区画図とを取得し、
前記土地画像のうち前記区画図に含まれる土地の区画と重ならない領域から当該領域の一部を所定の形状で切り出し、
前記区画図のうち前記領域の一部が切り出された位置と対応する位置に、所定の形状で切り出された領域の一部を付加する
処理を実行することを特徴とする画像処理方法。
【請求項２】
前記コンピュータが、
前記土地画像および前記区画図を分割する処理をさらに実行し、
前記土地画像の一部を切り出す処理として、
前記土地画像が分割された分割画像のうち色数が最も多い分割画像から当該分割画像の一部を所定の形状で切り出し、
前記土地画像の一部を付加する処理として、
前記区画図が分割された分割画像のうち色数が最も多い土地画像の分割画像に対応する区画図の分割画像に所定の形状で切り出された分割画像の一部を付加する処理を実行することを特徴とする請求項１に記載の画像処理方法。
【請求項３】
前記土地画像の一部を切り出す処理として、
前記土地画像及び前記区画図の組合せの誤りを警告する文字または文字列の形状、前記区画図の不正使用を警告する文字または文字列の形状または前記区画図に対応する土地画像へのアクセスを促す文字または文字列の形状で前記領域の一部を切り出す処理を実行することを特徴とする請求項１または２に記載の画像処理方法。
【請求項４】
コンピュータに、
土地が撮影された土地画像と当該土地画像に含まれる土地の区画図とを取得し、
前記土地画像のうち前記区画図に含まれる土地の区画と重ならない領域から当該領域の一部を所定の形状で切り出し、
前記区画図のうち前記領域の一部が切り出された位置と対応する位置に、所定の形状で切り出された領域の一部を付加する
処理を実行させることを特徴とする画像処理プログラム。
【請求項５】
土地が撮影された土地画像と当該土地画像に含まれる土地の区画図とを取得する取得部と、
前記土地画像のうち前記区画図に含まれる土地の区画と重ならない領域から当該領域の一部を所定の形状で切り出す切出し部と、
前記区画図のうち前記領域の一部が切り出された位置と対応する位置に、所定の形状で切り出された領域の一部を付加する付加部と
を有することを特徴とする画像処理装置。
【発明の詳細な説明】
【技術分野】
【０００１】
本発明は、画像処理方法および画像処理プログラムに関する。
【背景技術】
【０００２】
地図画像を重畳する技術の一例として、複数の地図画像を接合する地図帳登録装置が挙げられる。かかる地図帳登録装置は、ＣＲＴ（Cathode  Ray  Tube）に表示された地図画像Ａおよび地図画像Ｂに対し、マウスやキーボードを介して表示に関する指定を受け付ける。例えば、地図帳登録装置は、地図画像の上下関係の指定を受け付けた場合に地図画像Ｂの上に地図画像Ａを表示させ、透過の指示を受け付けた場合に地図画像Ａおよび地図画像Ｂのうち重複する領域を透過して表示させる。
【先行技術文献】
【特許文献】
【０００３】
【特許文献１】特開２００３−３０２８９６号公報
【発明の概要】
【発明が解決しようとする課題】
【０００４】
ところで、衛星や航空機によって土地の地表面が撮影された土地画像に当該土地の区画図を重畳して表示させる区画表示サービスが試みられている。かかる区画表示サービスの一例としては、自治体によって所有された土地が撮影された土地画像に、自治体所有の土地が区画された区画図を重畳して表示することによって自治体の土地管理を支援する態様が挙げられる。他の一例としては、農場が撮影された土地画像に、農場が区画された区画図を重畳して表示することによって圃場管理を支援する態様が挙げられる。
【０００５】
しかしながら、上記の区画表示サービスに上記の地図帳登録装置を援用する場合には、区画図が誤使用される場合があるという問題がある。
【０００６】
すなわち、区画図は、時間の経過に伴って区画が変更される場合がある。かかる区画の変更があった場合でも、区画が変更された前後で同じ土地が撮影された場合には各々の土地画像の間で土地の様子が似ている場合もある。この場合には、区画の変更前に撮影された土地画像に誤って変更後の区画図を重畳して表示させたり、区画の変更後に撮影された土地画像に誤って変更前の区画図を重畳して表示させたりするおそれがある。このように、誤った組合せの土地画像と区画図が重畳して表示された場合には、土地画像が撮影された時点の区画とは異なる区画が表示された状態で土地画像に写る土地の様子が表示される結果、閲覧者に区画内の土地の状況を正しく把握させることはできない。
【０００７】
開示の技術は、上記に鑑みてなされたものであって、区画図の誤使用を抑制できる画像処理方法および画像処理プログラムを提供することを目的とする。
【課題を解決するための手段】
【０００８】
本願の開示する画像処理方法は、コンピュータが、土地が撮影された土地画像と当該土地画像に含まれる土地の区画図とを取得する処理を実行する。さらに、前記コンピュータが、前記土地画像の一部を所定の形状で切り出す処理を実行する。さらに、前記コンピュータが、前記土地画像の一部が切り出された位置と対応する前記区画図上の位置に、所定の形状で切り出された土地画像の一部を付加する処理を実行する。
【発明の効果】
【０００９】
本願の開示する画像処理方法の一つの態様によれば、区画図の誤使用を抑制できるという効果を奏する。
【図面の簡単な説明】
【００１０】
【図１】図１は、実施例１に係る画像処理装置の機能的構成を示すブロック図である。
【図２】図２は、切出し画像の付加方法を示す図である。
【図３】図３は、衛星画像および区画図の組合せが正しい場合の重畳表示の一例を示す図である。
【図４】図４は、衛星画像および区画図の組合せが誤っている場合の重畳表示の一例を示す図である。
【図５】図５は、衛星画像の一例を示す図である。
【図６】図６は、区画図の一例を示す図である。
【図７】図７は、切出し設定データの一例を示す図である。
【図８】図８は、衛星画像の分割例を示す図である。
【図９】図９は、区画図の分割例を示す図である。
【図１０】図１０は、切出し画像付きの区画図の一例を示す図である。
【図１１】図１１は、実施例１に係る付加処理の手順を示すフローチャートである。
【図１２】図１２は、衛星画像および区画図の組合せが誤っている場合の重畳表示の一例を示す図である。
【図１３】図１３は、衛星画像および区画図の組合せが誤っている場合の重畳表示の一例を示す図である。
【図１４】図１４は、応用例に係る付加処理の手順を示すフローチャートである。
【図１５】図１５は、応用例に係る重畳画像の一例を示す図である。
【図１６】図１６は、実施例１及び実施例２に係る画像処理プログラムを実行するコンピュータの一例について説明するための図である。
【発明を実施するための形態】
【００１１】
以下に、本願の開示する画像処理方法および画像処理プログラムの実施例を図面に基づいて詳細に説明する。なお、この実施例は開示の技術を限定するものではない。そして、各実施例は、処理内容を矛盾させない範囲で適宜組み合わせることが可能である。
【実施例１】
【００１２】
［画像処理装置の構成］
図１は、実施例１に係る画像処理装置の機能的構成を示すブロック図である。図１に示す画像処理装置１０は、土地の地表面が撮影された土地画像に重畳して表示させる区画図をクライアント端末３０へ提供するものである。とりわけ、画像処理装置１０は、土地画像を用いて生成された区画図から、当該区画図が他の土地画像に重畳して表示された場合に誤った土地画像及び区画図の組合せであることを警告可能な区画図を生成する画像処理を実行する。
【００１３】
かかる画像処理装置１０の一態様としては、上記の画像処理を実行するＷｅｂサーバとして実装することとしてもよいし、また、上記の画像処理に関するサービスをアウトソーシングにより提供するクラウドとして実装することもできる。他の一態様としては、パッケージソフトウェアやオンラインソフトウェアとして提供される画像処理プログラムを所望のコンピュータにプリインストール又はインストールさせることによっても実装できる。更なる一態様としては、区画図を提供するアプリケーションプログラムから呼び出されるライブラリとして実装することもできる。
【００１４】
ここで、本実施例に係る画像処理装置１０は、区画図の生成に用いた衛星画像のうち一部を特定の形状で切り出し、衛星画像の切出し位置と対応する区画図の位置に衛星画像から切り出した切出し画像を付加する。なお、以下では、土地画像の一例として、衛星によって土地の地表面が撮影された衛星画像が用いられる場合を例示するが、航空機によって空中から土地の地表面が撮影された航空画像を用いることもできる。
【００１５】
図２は、切出し画像の付加方法を示す図である。図２に示す符号２１０は、圃場の衛星画像を指す。図２に示す符号２１５は、衛星画像２１０から一部が切り出される切出し位置を指す。図２に示す符号２２０は、切出し位置２１５から特定の形状で切り出された切出し画像を指す。図２に示す符号２３０は、切出し画像２２０が付加された区画図を指す。なお、図２の例では、圃場が撮影された衛星画像に圃場の区画図を重畳して表示させる場合を想定する。
【００１６】
図２に示すように、衛星画像２１０のうち切出し位置２１５に該当する衛星画像２１０の一部が特定の形状、例えば衛星画像および区画図の組合せの誤りを警告する文字「ＮＧ」の形状で切出し画像２２０として切り出される。その上で、衛星画像２１０を用いて生成された区画図のうち衛星画像２１０の切出し位置２１５と対応する区画図の位置に切出し画像２２０が付加される。これによって、切出し画像２２０が付加された区画図２３０が生成される。
【００１７】
図３は、衛星画像および区画図の組合せが正しい場合の重畳表示の一例を示す図である。図３に示すように、切出し画像２２０が付加された区画図２３０が区画図２３０の生成に用いられた衛星画像２１０に重畳された場合には、上絵である区画図２３０に付加された切出し画像２２０が下絵である衛星画像２１０の該当部分の画像と一致する。このため、衛星画像２１０に区画図２３０が重畳された重畳画像２４０には、切出し画像２２０の文字と衛星画像２１０の文字周辺部との間に継ぎ目が生じず、明るさや色合いが連続した状態で表示される。
【００１８】
図４は、衛星画像および区画図の組合せが誤っている場合の重畳表示の一例を示す図である。図４に示すように、切出し画像２２０が付加された区画図２３０が区画図２３０の生成に用いられた衛星画像２１０と異なる衛星画像３１０に重畳された場合には、上絵である区画図２３０に付加された切出し画像２２０も下絵である衛星画像３１０とは一致しない。すなわち、たとえ衛星画像２１０及び衛星画像３１０が同じ圃場を撮影したものであっても、撮影の時期が違えば圃場の様子が一部変化していたり、光源の影響によって写り方が変化したりするので、上絵の切出し画像２２０は下絵の衛星画像３１０とは一致しない。この場合、衛星画像３１０に区画図２３０が重畳された重畳画像３２０には、切出し画像２２０の文字と衛星画像３１０の文字周辺部との間に継ぎ目が生じ、明るさや色合いが不連続な状態で接合される結果、切出し画像２２０の文字「ＮＧ」が浮き出て表示される。図４の例で言えば、切出し画像２２０が衛星画像３１０の文字周辺部よりも暗いので、重畳画像３２０には切出し画像２２０の文字「ＮＧ」が暗く浮き出る。
【００１９】
このように、本実施例に係る画像処理装置１０では、区画図が当該区画図の生成に用いられた衛星画像とは異なる他の衛星画像に重畳して表示された場合に衛星画像及び区画図の組合せの誤りを警告できる。したがって、本実施例に係る画像処理装置１０によれば、区画図の誤使用を抑制できる。
【００２０】
図１の説明に戻り、画像処理装置１０は、通信Ｉ／Ｆ（interface）部１１と、記憶部１３と、制御部１５とを有する。なお、画像処理装置１０は、図１に示した機能部以外にも既知のコンピュータが有する各種の機能部、例えば各種の入出力デバイスや撮像デバイスなどの機能部を有することとしてもかまわない。
【００２１】
通信Ｉ／Ｆ部１１は、他の装置、例えばクライアント端末３０との間で通信制御を行うインタフェースである。かかる通信Ｉ／Ｆ部１１の一態様としては、ＬＡＮカードなどのネットワークインタフェースカードを採用できる。例えば、通信Ｉ／Ｆ部１１は、クライアント端末３０から区画図の取得要求を受信したり、切出し画像が付加された区画図をクライアント端末３０へ送信したりする。
【００２２】
記憶部１３は、制御部１５で実行されるＯＳ（Operating  System）や区画図に衛星画像の切出し画像を付加する画像処理プログラムなどの各種プログラムを記憶する記憶デバイスである。記憶部１３の一態様としては、フラッシュメモリなどの半導体メモリ素子、ハードディスク、光ディスクなどの記憶装置が挙げられる。なお、記憶部１３は、上記の種類の記憶装置に限定されるものではなく、ＲＡＭ（Random  Access  Memory)、ＲＯＭ（Read  Only  Memory)であってもよい。
【００２３】
記憶部１３は、制御部１５で実行されるプログラムに用いられるデータの一例として、画像データ１３ａと、切出し設定データ１３ｂと、区画図データ１３ｃとを記憶する。なお、上記の画像データ１３ａ、切出し設定データ１３ｂ及び区画図データ１３ｃ以外にも、他の電子データ、例えば衛星画像及び区画図に関する対応付け情報なども併せて記憶することもできる。
【００２４】
画像データ１３ａは、各種の画像に関するデータである。かかる画像データ１３ａの一例としては、図５に示す衛星画像や図６に示す区画図などが挙げられる。図５は、衛星画像の一例を示す図である。図６は、区画図の一例を示す図である。図６に示す区画図４５０は、図５に示す衛星画像４００に含まれる圃場が区画されることによって生成されたものである。かかる区画図４５０は、衛星画像４００を用いて生成されたものを記憶部１３に予め登録しておくことができる。これに限らず、衛星画像４００から圃場の区画を自動的に抽出したり、図示しない入力デバイスを介して衛星画像４００上で線画の入力を受け付けたりすることによって生成された区画図４５０を記憶部１３へ登録することもできる。なお、上記の衛星画像および区画図は、図示しない対応付け情報を通じて、区画図と当該区画図の生成に用いられた衛星画像とが対応付けられる。かかる対応付け情報には、衛星画像の識別情報および区画図の識別情報の対応関係の他、衛星画像上の画素と区画図上の画素との対応関係も含まれる。
【００２５】
切出し設定データ１３ｂは、切出しに関する設定データである。一例として、切出し設定データ１３ｂは、衛星画像および区画図を分割する場合に、分割するメッシュのサイズが参照される。他の一例として、切出し設定データ１３ｂは、衛星画像の一部を切り出す場合に、衛星画像から切り出す画像の形状が参照される。なお、ここでは、衛星画像から文字を切り出す切出し設定を例示するが、他の図形、例えばシンボル、模様や装飾などを切り出すように設定することもできる。
【００２６】
かかる切出し設定データ１３ｂの一態様としては、設定番号、メッシュサイズ、切出し文字、フォント種類およびフォントサイズが対応付けられたデータを採用できる。ここで言う「設定番号」は、切出し設定を識別する番号を指す。また、「メッシュサイズ」は、衛星画像および区画図を分割するメッシュの縦横の大きさを指す。また、「切出し文字」は、衛星画像が分割されたメッシュから切り出す文字または文字列を指す。また、「フォント種類」は、切出し文字のフォントの種類を指す。また、「フォントサイズ」は、切出し文字のフォントのサイズを指す。
【００２７】
図７は、切出し設定データ１３ｂの一例を示す図である。図７に示す設定番号「1」の切出し設定が適用された場合には、衛星画像および区画図が縦×横「15pixel×30pixel」のメッシュに分割されるとともに、衛星画像のメッシュから文字「ＮＧ」が高さ１５ピクセルの明朝体で切り出されることを意味する。また、設定番号「2」の切出し設定が適用された場合には、衛星画像および区画図が縦×横「10pixel×60pixel」のメッシュに分割されるとともに、衛星画像のメッシュから文字「Fujitsu  Confidential」が高さ９ピクセルの明朝体で切り出されることを意味する。また、設定番号「3」の切出し設定が適用された場合には、衛星画像および区画図が縦×横「20pixel×80pixel」のメッシュに分割されることを意味する。さらに、設定番号「3」の切出し設定が適用された場合には、衛星画像のメッシュから文字「Ａ社サイト「http://www.A社.com」をご利用下さい」が高さ９ピクセルのゴシック体で切り出されることを意味する。また、設定番号「4」の切出し設定が適用された場合には、衛星画像および区画図が縦×横「12pixel×40pixel」のメッシュに分割されるとともに、衛星画像のメッシュから文字「警告！！不正使用」が高さ１２ピクセルの明朝体で切り出されることを意味する。
【００２８】
区画図データ１３ｃは、区画図に関するデータである。一例として、区画図データ１３ｃには、後述の付加部１５ｄによって衛星画像の切出し画像が付加された区画図が登録される。他の一例として、区画図データ１３ｃは、衛星画像の切出し画像が付加された区画図が後述の提供部１５ｆによってクライアント端末３０へ提供される。
【００２９】
制御部１５は、各種の処理手順を規定したプログラムや制御データを格納するための内部メモリを有し、これらによって種々の処理を実行する。制御部１５は、図１に示すように、取得部１５ａと、分割部１５ｂと、切出し部１５ｃと、付加部１５ｄと、統合部１５ｅと、提供部１５ｆとを有する。
【００３０】
このうち、取得部１５ａは、衛星画像および区画図を取得する処理部である。一態様としては、取得部１５ａは、画像データ１３ａに含まれる区画図の中に衛星画像の切出し画像が付加されていない区画図が存在する場合、すなわち区画図データ１３ｃに未登載の区画図が存在する場合に、当該区画図とそれに対応する衛星画像を取得する。このとき、取得部１５ａは、新規の区画図が画像データ１３ａに追加される度に対となる衛星画像および区画図をリアルタイムで取得してもよいし、バッチ処理で取得することとしてもかまわない。他の一態様としては、取得部１５ａは、通信Ｉ／Ｆ部１１を介するネットワーク経由、もしくはＵＳＢ（Universal  Serial  Bus）メモリやＳＤカード（Secure  Digital  memory  card）などの補助記憶装置等から衛星画像および区画図を取得することもできる。これらの経路から対となる衛星画像および区画図を取得できる場合には、必ずしも記憶部１３に画像データ１３ａを登録しておく必要はない。
【００３１】
分割部１５ｂは、取得部１５ａによって取得された衛星画像および区画図を分割する処理部である。一態様としては、分割部１５ｂは、記憶部１３に記憶された切出し設定データ１３ｂを読み出す。その上で、分割部１５ｂは、切出し設定データ１３ｂに定義されたメッシュサイズにしたがって衛星画像および区画図をメッシュに分割する。このとき、分割部１５ｂは、予め指定された設定番号の切出し設定を自動的に適用することもできるし、図示しない入力デバイスまたは外部装置から受け付けた設定番号を適用することもできる。これによって、衛星画像が分割された衛星画像のメッシュと区画図が分割された区画図のメッシュとがそれぞれ得られる。
【００３２】
切出し部１５ｃは、衛星画像の一部を切り出す処理部である。一態様としては、切出し部１５ｃは、分割部１５ｂによって衛星画像が分割されたメッシュのうちメッシュを１つ選択する。そして、切出し部１５ｃは、先に選択された衛星画像のメッシュに対応する区画図のメッシュに区画が描画された線画が含まれているか否かを判定する。ここで、区画図のメッシュに区画が描画された線画が含まれている場合には、区画がなされた土地が衛星画像のメッシュに写っていると推定できる。この場合には、区画図のメッシュに切出し画像を付加すると、切出し画像によって区画の視認性が損なわれる場合がある。よって、切出し部１５ｃは、衛星画像のメッシュからの文字または文字列の切出しを実行しない。一方、区画図のメッシュに区画が描画された線画が含まれていない場合には、区画がなされた土地が衛星画像のメッシュに写っておらず、それ以外の景色が写った余白であると推定できる。この場合には、切出し部１５ｃは、切出し設定データ１３ｂに定義された切出し文字、フォント種類およびフォントサイズにしたがって衛星画像のメッシュから文字または文字列を切出し画像として切り出す。かかる切出し画像には、衛星画像のメッシュを構成する全画素のうち切出し文字の輪郭によって内包される画素の集合が含まれる。そして、切出し部１５ｃは、衛星画像の全メッシュが探索されるまで、上記の余白の判定および文字の切出しを繰り返し実行する。
【００３３】
付加部１５ｄは、衛星画像の一部が切り出された位置と対応する区画図上の位置に衛星画像の一部を付加する処理部である。一態様としては、付加部１５ｄは、切出し部１５ｃによって衛星画像のメッシュから文字または文字列が切出し画像として切り出された場合に、当該衛星画像のメッシュに対応する区画図のメッシュに切出し画像を付加する。
【００３４】
統合部１５ｅは、分割部１５ｂによって分割された区画図の各メッシュを統合する処理部である。一態様としては、統合部１５ｅは、衛星画像の全メッシュが探索された場合に、区画図の各メッシュを統合する。その上で、統合部１５ｅは、メッシュの統合によって再生成された切出し画像付きの区画図を記憶部１３へ登録する。
【００３５】
提供部１５ｆは、切出し画像付きの区画図をクライアント端末３０へ提供する処理部である。一態様としては、提供部１５ｆは、記憶部１３に記憶された区画図データ１３ｃをインターネットなどのネットワーク上で公開する。例えば、提供部１５ｆは、クライアント端末３０上で動作するブラウザ等から区画図の取得要求を受け付けた場合に、当該取得要求に対応する区画図データ１３ｃを記憶部１３から読み出した上でその区画図データ１３ｃをクライアント端末３０へ返信する。
【００３６】
なお、制御部１５には、各種の集積回路や電子回路を採用できる。また、制御部１５が有する機能部の一部を別の集積回路や電子回路とすることもできる。例えば、集積回路としては、ＡＳＩＣ（Application  Specific  Integrated  Circuit）が挙げられる。また、電子回路としては、ＣＰＵ（Central  Processing  Unit）やＭＰＵ（Micro  Processing  Unit）などが挙げられる。
【００３７】
［具体例］
ここで、図８〜図１０を用いて、衛星画像からの切出し画像を区画図に付加する具体例について説明する。図８は、衛星画像の分割例を示す図である。図９は、区画図の分割例を示す図である。図１０は、切出し画像付きの区画図の一例を示す図である。図８及び図９には、図５に示した衛星画像４００および図６に示した区画図４５０が図７に示した切出し設定データ１３ｂに定義された切出し設定のうち設定番号「1」の切出し設定にしたがって分割された各メッシュを示す。また、図１０には、図７に示した切出し設定データ１３ｂに定義された切出し設定のうち設定番号「1」の切出し設定にしたがって文字の切出し及び切出し画像の付加が実行された場合の切出し画像付きの区画図を示す。
【００３８】
図５に示した衛星画像４００および図６に示した区画図４５０が縦×横「15pixel×30pixel」のメッシュに分割された後に、図８に示す衛星画像４００の各メッシュを対象に上記の余白判定、文字の切出しおよび切出し画像の付加が順次実行される。例えば、図９に示す区画図４５０を構成するメッシュのうち当該衛星画像４００のメッシュに対応する区画図４５０のメッシュに区画が描画された線画が含まれているか否かが判定される。
【００３９】
このとき、図９に示す区画図４５０の各メッシュのうち塗りつぶしで図示していないメッシュは、メッシュ内に区画の線画が描画されている。よって、衛星画像４００のメッシュから文字または文字列は切り出されない。一方、図９に示す区画図４５０の各メッシュのうち斜線の塗りつぶしで図示されたメッシュには、メッシュ内に区画の線画が描画されていない。このため、斜線の塗りつぶしで図示された区画図４５０のメッシュに対応する衛星画像４００のメッシュから文字「ＮＧ」が高さ１５ピクセルの明朝体で切り出される。そして、図１０に示すように、衛星画像４００のメッシュから文字「ＮＧ」の形状に切り出された切出し画像が当該衛星画像４００のメッシュに対応する区画図４５０のメッシュへ付加される。その後、衛星画像４００の全メッシュが探索されると、図１０に示した区画図４５０の各メッシュが統合される。これによって、切出し画像の文字「ＮＧ」が区画の線画のない余白部分に付加された区画図が生成されることになる。
【００４０】
かかる切出し画像付きの区画図が当該区画図の生成に用いられた衛星画像４００に重畳された場合には、図３を用いて説明したケースと同様に、上絵である区画図に付加された各切出し画像の文字「ＮＧ」を構成する各画素の画素値が下絵である衛星画像４００の該当部分の各画素のものと一致する。このため、衛星画像４００に区画図が重畳された重畳画像には、図３に示す重畳画像と同様に、各切出し画像の文字と衛星画像４００の文字周辺部との間に継ぎ目が生じず、明るさや色合いが連続した状態で表示される。
【００４１】
一方、切出し画像付きの区画図が当該区画図の生成に用いられた衛星画像４００以外の他の衛星画像に重畳された場合には、図４を用いて説明したケースと類似し、上絵である区画図に付加された切出し画像も下絵である衛星画像４００とは一致しない。すなわち、たとえ他の衛星画像が衛星画像４００と同じ場面を撮影したものであっても、撮影の時期が違えば圃場の様子が一部変化していたり、光源の影響によって写り方が変化したりする。このため、上絵の各切出し画像の文字「ＮＧ」を構成する画素の画素値は、下絵である他の衛星画像の該当部分の画素の画素値とは一致しない。この場合、他の衛星画像に区画図が重畳された重畳画像には、各切出し画像の文字と他の衛星画像の文字周辺部との間に継ぎ目が生じ、明るさや色合いが不連続な状態で接合される結果、各切出し画像の文字「ＮＧ」が浮き出て表示される。このように、区画の線画のない余白部分に複数の切出し画像を付加することによって衛星画像および区画図の組合せの誤りをより強調して警告できる。
【００４２】
［処理の流れ］
図１１は、実施例１に係る付加処理の手順を示すフローチャートである。この付加処理は、画像データ１３ａに含まれる区画図のうち区画図データ１３ｃに未登載の区画図が存在する場合に処理が起動される。
【００４３】
図１１に示すように、画像処理装置１０は、記憶部１３に記憶された画像データ１３ａのうち区画図データ１３ｃに未登載の区画図と当該区画図に対応付けられた衛星画像を取得する（ステップＳ１０１）。
【００４４】
続いて、画像処理装置１０は、切出し設定データ１３ｂに定義されたメッシュサイズにしたがって衛星画像および区画図をメッシュに分割する（ステップＳ１０２）。その後、画像処理装置１０は、衛星画像が分割されたメッシュのうちメッシュを１つ選択する（ステップＳ１０３）。
【００４５】
そして、画像処理装置１０は、ステップＳ１０３で選択された衛星画像のメッシュに対応する区画図のメッシュに区画が描画された線画が含まれているか否かを判定する（ステップＳ１０４）。
【００４６】
ここで、区画図のメッシュに区画が描画された線画が含まれている場合（ステップＳ１０４，Ｙｅｓ）には、区画がなされた土地が衛星画像のメッシュに写っていると推定できる。この場合には、区画図のメッシュに切出し画像を付加すると、切出し画像によって区画の視認性が損なわれる場合がある。よって、画像処理装置１０は、衛星画像のメッシュからの文字または文字列の切出しを実行せずにステップＳ１０７の処理へ移行する。
【００４７】
一方、区画図のメッシュに区画が描画された線画が含まれていない場合（ステップＳ１０４，Ｎｏ）には、区画がなされた土地が衛星画像のメッシュに写っておらず、それ以外の景色が写った余白であると推定できる。この場合には、画像処理装置１０は、切出し設定データ１３ｂに定義された切出し文字、フォント種類およびフォントサイズにしたがって衛星画像のメッシュから文字または文字列を切出し画像として切り出す（ステップＳ１０５）。
【００４８】
そして、画像処理装置１０は、ステップＳ１０３で選択された衛星画像のメッシュに対応する区画図のメッシュにステップＳ１０５で衛星画像から切り出した文字の画像を付加する（ステップＳ１０６）。
【００４９】
その後、衛星画像の全メッシュが探索されるまで（ステップＳ１０７，Ｎｏ）、画像処理装置１０は、上記のステップＳ１０３〜ステップＳ１０６までの処理を繰り返し実行する。
【００５０】
そして、衛星画像の全メッシュが探索されると（ステップＳ１０７，Ｙｅｓ）、画像処理装置１０は、区画図の各メッシュを統合する（ステップＳ１０８）。その上で、画像処理装置１０は、ステップＳ１０８で実行された統合によって再生成された切出し画像付きの区画図を記憶部１３へ登録し（ステップＳ１０９）、処理を終了する。
【００５１】
なお、上記のフローチャートでは、衛星画像のメッシュを順次探索しながら余白判定、文字の切出しおよび切出し画像の付加を実行する場合を例示したが、必ずしも衛星画像のメッシュを１つずつ順番に処理する必要はない。例えば、上記のステップＳ１０３及びステップＳ１０７の処理をなくし、上記のステップＳ１０４〜ステップＳ１０６までの処理を並列に実行することとしてもかまわない。
【００５２】
［実施例１の効果］
上述してきたように、本実施例に係る画像処理装置１０は、区画図の生成に用いた衛星画像のうち一部を特定の形状で切り出し、衛星画像の切出し位置と対応する区画図の位置に衛星画像から切り出した切出し画像を付加する。このため、本実施例に係る画像処理装置１０では、区画図が当該区画図の生成に用いられた衛星画像とは異なる他の衛星画像に重畳して表示された場合に衛星画像及び区画図の組合せの誤りを警告できる。したがって、本実施例に係る画像処理装置１０によれば、区画図の誤使用を抑制できる。
【実施例２】
【００５３】
さて、これまで開示の装置に関する実施例について説明したが、本発明は上述した実施例以外にも、種々の異なる形態にて実施されてよいものである。そこで、以下では、本発明に含まれる他の実施例を説明する。
【００５４】
［切出し画像の応用例１］
上記の実施例１では、衛星画像および区画図の組合せの誤りを警告する文字または文字列を切り出す場合を例示したが、開示の装置が衛星画像から切り出すことができる画像の形状はこれに限定されない。
【００５５】
例えば、開示の装置は、図７に示した切出し設定データ１３ｂのうち設定番号「4」の切出し設定を適用することによって区画図の不正使用を警告する文字または文字列の形状で衛星画像の一部を切り出すこともできる。この場合には、開示の装置は、衛星画像および区画図を縦×横「12pixel×40pixel」のメッシュに分割する。その後、開示の装置は、衛星画像のメッシュから文字「警告！！不正使用」を高さ１２ピクセルの明朝体で切り出す。その上で、開示の装置は、衛星画像のメッシュから文字「警告！！不正使用」の形状に切り出された切出し画像を当該衛星画像のメッシュに対応する区画図のメッシュへ付加する。その後、開示の装置は、衛星画像の全メッシュを探索した上で区画図のメッシュを統合する。これによって、開示の装置は、区画図の不正使用を警告する文字または文字列が付加された区画図を生成する。
【００５６】
図１２は、衛星画像および区画図の組合せが誤っている場合の重畳表示の一例を示す図である。図１２に示すように、各切出し画像が付加された区画図が区画図の生成に用いられた衛星画像と異なる衛星画像に重畳された場合には、上絵である区画図に付加された各切出し画像も下絵である衛星画像とは一致しない。この場合、他の衛星画像に区画図が重畳された重畳画像には、各切出し画像の文字と他の衛星画像の文字周辺部との間に継ぎ目が生じ、明るさや色合いが不連続な状態で接合される結果、各切出し画像の文字「警告！！不正使用」が浮き出て表示される。
【００５７】
かかる表示によって、衛星画像の提供事業者と、区画図の提供事業者とが異なる状況の下、区画図の提供事業者が提携していない衛星画像の提供事業者の画像配信サーバによって提供された衛星画像に区画図が重畳された場合に、区画図の不正使用を警告できる。このため、区画図の提供事業者と未提携の衛星画像の提供事業者によって提供される衛星画像に区画図の提供事業者が提供する区画図が不正使用されるのを抑制できる。
【００５８】
［切出し画像の応用例２］
また、開示の装置は、図７に示した切出し設定データ１３ｂのうち設定番号「3」の切出し設定を適用することによって区画図に対応する衛星画像へのアクセスを促す文字または文字列の形状で衛星画像の一部を切り出すこともできる。
【００５９】
この場合には、開示の装置は、衛星画像および区画図を縦×横「20pixel×80pixel」のメッシュに分割する。その後、開示の装置は、衛星画像のメッシュから文字「Ａ社サイト「http://www.A社.com」をご利用ください」を高さ９ピクセルのゴシック体で切り出す。その上で、開示の装置は、衛星画像のメッシュから文字「Ａ社サイト「http://www.A社.com」をご利用ください」の形状に切り出された切出し画像を当該衛星画像のメッシュに対応する区画図のメッシュへ付加する。その後、開示の装置は、衛星画像の全メッシュを探索した上で区画図のメッシュを統合する。これによって、開示の装置は、区画図に対応する衛星画像へのアクセスを促す文字または文字列が付加された区画図を生成する。
【００６０】
図１３は、衛星画像および区画図の組合せが誤っている場合の重畳表示の一例を示す図である。図１３に示すように、各切出し画像が付加された区画図が区画図の生成に用いられた衛星画像と異なる衛星画像に重畳された場合には、上絵である区画図に付加された各切出し画像も下絵である衛星画像とは一致しない。この場合、他の衛星画像に区画図が重畳された重畳画像には、各切出し画像の文字と他の衛星画像の文字周辺部との間に継ぎ目が生じ、明るさや色合いが不連続な状態で接合される結果、各切出し画像の文字「Ａ社サイト「http://www.A社.com」をご利用ください」が浮き出て表示される。
【００６１】
かかる表示によって、区画図の提供事業者が提携していない衛星画像の提供事業者の画像配信サーバによって提供された衛星画像に区画図が重畳された場合に、区画図の提供事業者が提携している衛星画像の提供事業者の画像配信サーバへ誘導することができる。
【００６２】
［区画図の改ざん防止］
開示の装置は、切出し画像付きの区画図のハッシュ値を算出した上でそのハッシュ値を当該区画図に付加することもできる。一例として、開示の装置がクラウドとして実装される場合を想定する。この場合には、開示の装置は、クライアント端末３０上で衛星画像および区画図を重畳して表示する指示入力が受け付けられた場合に、当該指示入力を受け付けた区画図のハッシュ値を算出する。その上で、開示の装置は、指示入力の受付時に改めて算出した区画図のハッシュ値と、区画図に付加されていたハッシュ値とを照合する。そして、開示の装置は、両者のハッシュ値が一致する場合には、衛星画像および区画図が重畳して表示された重畳画像を返信する。一方、開示の装置は、両者のハッシュ値が一致しない場合には、区画図に改ざんのおそれがあるので、表示エラーをクライアント端末３０に返信する。これによって、区画図の改ざん使用を抑制できる。
【００６３】
［切出し画像の付加の応用例］
上記の実施例１では、区画の線画がない余白のメッシュ全てに切出し画像を付加する場合を例示したが、必ずしも余白のメッシュ全てに切出し画像を付加する必要はない。例えば、開示の装置は、衛星画像のメッシュのうち色数が最も多いメッシュから文字または文字列を切り出し、区画図のメッシュのうち色数が最も多い衛星画像のメッシュに対応する区画図のメッシュに切出し画像を付加することもできる。
【００６４】
図１４は、応用例に係る付加処理の手順を示すフローチャートである。図１４に示すように、開示の装置は、記憶部１３に記憶された画像データ１３ａのうち区画図データ１３ｃに未登載の区画図と当該区画図に対応付けられた衛星画像を取得する（ステップＳ３０１）。
【００６５】
続いて、開示の装置は、切出し設定データ１３ｂに定義されたメッシュサイズにしたがって衛星画像および区画図をメッシュに分割する（ステップＳ３０２）。その後、開示の装置は、衛星画像が分割されたメッシュのうちメッシュを１つ選択する（ステップＳ３０３）。
【００６６】
そして、開示の装置は、ステップＳ１０３で選択された衛星画像のメッシュに対応する区画図のメッシュに区画が描画された線画が含まれているか否かを判定する（ステップＳ３０４）。
【００６７】
ここで、区画図のメッシュに区画が描画された線画が含まれている場合（ステップＳ３０４，Ｙｅｓ）には、区画がなされた土地が衛星画像のメッシュに写っていると推定できる。この場合には、区画図のメッシュに切出し画像を付加すると、切出し画像によって区画の視認性が損なわれる場合がある。よって、開示の装置は、文字または文字列の切出しを実行する候補から除外してよいので、衛星画像のメッシュの色数を取得せずにステップＳ３０６の処理へ移行する。
【００６８】
一方、区画図のメッシュに区画が描画された線画が含まれていない場合（ステップＳ３０４，Ｎｏ）には、区画がなされた土地が衛星画像のメッシュに写っておらず、それ以外の景色が写った余白であると推定できる。この場合には、開示の装置は、衛星画像のメッシュの色数を取得する（ステップＳ３０５）。
【００６９】
その後、衛星画像の全メッシュが探索されるまで（ステップＳ３０６，Ｎｏ）、開示の装置は、上記のステップＳ３０３〜ステップＳ３０５までの処理を繰り返し実行する。そして、衛星画像の全メッシュが探索されると（ステップＳ３０６，Ｙｅｓ）、開示の装置は、ステップＳ３０５で色数が取得された衛星画像のメッシュのうち色数が最も多い衛星画像のメッシュを選択する（ステップＳ３０７）。
【００７０】
続いて、開示の装置は、切出し設定データ１３ｂに定義された切出し文字、フォント種類およびフォントサイズにしたがってステップＳ３０７で選択された衛星画像のメッシュから文字または文字列を切出し画像として切り出す（ステップＳ３０８）。
【００７１】
その上で、開示の装置は、ステップＳ３０７で選択された衛星画像のメッシュに対応する区画図のメッシュにステップＳ３０８で切り出された切出し画像の文字を付加する（ステップＳ３０９）。
【００７２】
その後、開示の装置は、区画図の各メッシュを統合する（ステップＳ３１０）。その上で、開示の装置は、ステップＳ３１０で実行された統合によって再生成された切出し画像付きの区画図を記憶部１３へ登録し（ステップＳ３１１）、処理を終了する。
【００７３】
なお、上記のフローチャートでは、衛星画像のメッシュの色数を順次取得する場合を例示したが、必ずしも衛星画像のメッシュの色数を１つずつ順番に取得する必要はない。例えば、上記のステップＳ３０３及びステップＳ３０６の処理をなくし、上記のステップＳ３０４〜ステップＳ３０５までの処理を並列に実行することとしてもかまわない。
【００７４】
このように、開示の装置は、色数が最も多い衛星画像のメッシュに対応する区画図のメッシュに切出し画像を付加する。これによって、区画図が当該区画図の生成に用いられた衛星画像とは異なる他の衛星画像に重畳して表示された場合には、区画図の切出し画像の文字と衛星画像の文字周辺部との間で画素値の差がより際立つ結果、切出し画像の視認性を向上させることができる。
【００７５】
［衛星画像と区画図の対応付け（１）］
例えば、上記の実施例１では、衛星画像および区画図が一対一に対応付けられている場合を想定したが、必ずしも衛星画像および区画図は一対一に対応付いていなくてもよく、１つの衛星画像に複数の区画図を対応付けることもできる。例えば、開示の装置は、１つの衛星画像に対し、圃場の区画図と道路の区画図との２つの区画図を対応付けることもできる。この場合には、同一の衛星画像の切出し画像が付加された圃場の区画図および道路の区画図を生成することができる。これら圃場の区画図および道路の区画図は、区画図の生成に用いられた衛星画像と重畳される限りは、両方の区画図が衛星画像と重畳されても切出し画像は表示されない。
【００７６】
［衛星画像と区画図の対応付け（２）］
また、開示の装置は、１つの区画図に対し、複数の衛星画像を対応付けることもできる。この場合には、複数の衛星画像から切り出された各切出し画像が付加された区画図を生成することができる。
【００７７】
図１５は、応用例に係る重畳画像の一例を示す図である。図１５に示す区画図５００には、衛星画像５３０の切出し画像の文字「Ｎ」と衛星画像５５０の切出し画像の文字「Ｇ」とが付加されている。ここで、区画図５００が衛星画像５３０と重畳された場合には、上絵である区画図５００に付加された切出し画像のうち文字「Ｎ」は下絵である衛星画像５３０の該当部分の画像と一致する一方で、文字「Ｇ」は衛星画像５３０の該当部分の画像と一致しない。この場合には、重畳画像５７０には、区画図の不正使用を警告する文字列「ＮＧ」のうち片方の文字「Ｇ」しか表示されないので、閲覧者は、区画図５００の生成に使用された衛星画像に重畳されていると判断できる。また、区画図５００が衛星画像５５０と重畳された場合には、上絵である区画図５００に付加された切出し画像のうち文字「Ｇ」は下絵である衛星画像５５０の該当部分の画像と一致する一方で、文字「Ｎ」は衛星画像５５０の該当部分の画像と一致しない。この場合には、重畳画像５９０には、区画図の不正使用を警告する文字列「ＮＧ」のうち片方の文字「Ｎ」しか表示されないので、閲覧者は、区画図５００の生成に使用された衛星画像に重畳されていると判断できる。ところが、区画図５００が衛星画像６００と重畳された場合には、上絵である区画図５００に付加された切出し画像のうち文字「Ｎ」及び「Ｇ」の両方ともに下絵である衛星画像５３０及び衛星画像５５０の該当部分の画像と一致しない。この場合には、重畳画像６３０には、区画図の不正使用を警告する文字列「ＮＧ」が表示されるので、閲覧者は、区画図５００の生成に使用された衛星画像とは異なる他の衛星画像に重畳されていると判断できる。
【００７８】
［他のサービスの適用例］
上記の実施例１では、圃場の衛星画像に圃場の区画図を重畳して表示させる場合を例示したが、開示の装置の適用範囲はこれに限定されず、任意の土地画像に任意の区画図を重畳して表示させる場合に適用できる。例えば、開示の装置は、自治体が所有する土地を含んで撮影された土地画像に自治体所有の土地が区画された区画図を重畳して表示させる場合に適用できる。また、開示の装置は、ビル街が撮影された土地画像にビルの区画図を重畳して表示させる場合にも適用できる。
【００７９】
［分散および統合］
また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、取得部１５ａ、分割部１５ｂ、切出し部１５ｃ、付加部１５ｄ、統合部１５ｅまたは提供部１５ｆを画像処理装置１０の外部装置としてネットワーク経由で接続するようにしてもよい。また、取得部１５ａ、分割部１５ｂ、切出し部１５ｃ、付加部１５ｄ、統合部１５ｅまたは提供部１５ｆを別の装置がそれぞれ有し、ネットワーク接続されて協働することで、上記の画像処理装置の機能を実現するようにしてもよい。
【００８０】
［画像処理プログラム］
また、上記の実施例で説明した各種の処理は、予め用意されたプログラムをパーソナルコンピュータやワークステーションなどのコンピュータで実行することによって実現することができる。そこで、以下では、図１６を用いて、上記の実施例と同様の機能を有する画像処理プログラムを実行するコンピュータの一例について説明する。
【００８１】
図１６は、実施例１及び実施例２に係る画像処理プログラムを実行するコンピュータの一例について説明するための図である。図１６に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。
【００８２】
ＨＤＤ１７０には、図１６に示すように、上記の実施例１で示した取得部１５ａ、分割部１５ｂ、切出し部１５ｃ、付加部１５ｄ、統合部１５ｅ及び提供部１５ｆと同様の機能を発揮する画像処理プログラム１７０ａが予め記憶される。この画像処理プログラム１７０ａについては、図１に示した各々の取得部１５ａ、分割部１５ｂ、切出し部１５ｃ、付加部１５ｄ、統合部１５ｅ及び提供部１５ｆの各構成要素と同様、適宜統合又は分離しても良い。すなわち、ＨＤＤ１７０に格納される各データは、常に全てのデータがＨＤＤ１７０に格納される必要はなく、処理に必要なデータのみがＨＤＤ１７０に格納されれば良い。
【００８３】
そして、ＣＰＵ１５０が、画像処理プログラム１７０ａをＨＤＤ１７０から読み出してＲＡＭ１８０に展開する。これによって、図１６に示すように、画像処理プログラム１７０ａは、画像処理プロセス１８０ａとして機能する。この画像処理プロセス１８０ａは、ＨＤＤ１７０から読み出した各種データを適宜ＲＡＭ１８０上の自身に割り当てられた領域に展開し、この展開した各種データに基づいて各種処理を実行する。なお、画像処理プロセス１８０ａは、図１に示した取得部１５ａ、分割部１５ｂ、切出し部１５ｃ、付加部１５ｄ、統合部１５ｅ及び提供部１５ｆにて実行される処理、例えば図１１や図１４に示す処理を含む。また、ＣＰＵ１５０上で仮想的に実現される各処理部は、常に全ての処理部がＣＰＵ１５０上で動作する必要はなく、処理に必要な処理部のみが仮想的に実現されれば良い。
【００８４】
なお、上記の画像処理プログラム１７０ａについては、必ずしも最初からＨＤＤ１７０やＲＯＭ１６０に記憶させておく必要はない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【００８５】
以上の実施例１〜２を含む実施形態に関し、さらに以下の付記を開示する。
【００８６】
（付記１）コンピュータが、
土地が撮影された土地画像と当該土地画像に含まれる土地の区画図とを取得し、
前記土地画像の一部を所定の形状で切り出し、
前記土地画像の一部が切り出された位置と対応する前記区画図上の位置に、所定の形状で切り出された土地画像の一部を付加する
処理を実行することを特徴とする画像処理方法。
【００８７】
（付記２）前記土地画像の一部を切り出す処理として、
前記土地画像のうち前記区画図に含まれる土地の区画と重ならない領域から当該領域の一部を所定の形状で切り出し、
前記土地画像の一部を付加する処理として、
前記区画図のうち前記領域の一部が切り出された位置と対応する位置に、所定の形状で切り出された領域の一部を付加する処理を実行することを特徴とする付記１に記載の画像処理方法。
【００８８】
（付記３）前記コンピュータが、
前記土地画像および前記区画図を分割する処理をさらに実行し、
前記土地画像の一部を切り出す処理として、
前記土地画像が分割された分割画像のうち色数が最も多い分割画像から当該分割画像の一部を所定の形状で切り出し、
前記土地画像の一部を付加する処理として、
前記区画図が分割された分割画像のうち色数が最も多い土地画像の分割画像に対応する区画図の分割画像に所定の形状で切り出された分割画像の一部を付加する処理を実行することを特徴とする付記１または２に記載の画像処理方法。
【００８９】
（付記４）前記コンピュータが、
前記土地画像の一部が付加された区画図のハッシュ値を算出する処理をさらに実行し、
前記土地画像の一部を付加する処理として、
前記土地画像の一部が付加された区画図に当該区画図のハッシュ値をさらに付加することを特徴とする付記１、２または３に記載の画像処理方法。
【００９０】
（付記５）前記土地画像の一部を切り出す処理として、
前記土地画像及び前記区画図の組合せの誤りを警告する文字または文字列の形状、前記区画図の不正使用を警告する文字または文字列の形状または前記区画図に対応する土地画像へのアクセスを促す文字または文字列の形状で前記土地画像の一部を切り出す処理を実行することを特徴とする付記１〜４のいずれか一つに記載の画像処理方法。
【００９１】
（付記６）コンピュータに、
土地が撮影された土地画像と当該土地画像に含まれる土地の区画図とを取得し、
前記土地画像の一部を所定の形状で切り出し、
前記土地画像の一部が切り出された位置と対応する前記区画図上の位置に、所定の形状で切り出された土地画像の一部を付加する
処理を実行させることを特徴とする画像処理プログラム。
【００９２】
（付記７）コンピュータに、
土地が撮影された土地画像と当該土地画像に含まれる土地の区画図とを取得し、
前記土地画像の一部を所定の形状で切り出し、
前記土地画像の一部が切り出された位置と対応する前記区画図上の位置に、所定の形状で切り出された土地画像の一部を付加する
処理を実行させる画像処理プログラムが記録されたコンピュータ読み取り可能な記録媒体。
【００９３】
（付記８）土地が撮影された土地画像と当該土地画像に含まれる土地の区画図とを取得する取得部と、
前記土地画像の一部を所定の形状で切り出す切出し部と、
前記土地画像の一部が切り出された位置と対応する前記区画図上の位置に、所定の形状で切り出された土地画像の一部を付加する付加部と
を有することを特徴とする画像処理装置。
【００９４】
（付記９）プロセッサ及びメモリを有する画像処理装置であって、
前記プロセッサが、
土地が撮影された土地画像と当該土地画像に含まれる土地の区画図とを取得し、
前記土地画像の一部を所定の形状で切り出し、
前記土地画像の一部が切り出された位置と対応する前記区画図上の位置に、所定の形状で切り出された土地画像の一部を付加する
処理を実行することを特徴とする画像処理装置。
【符号の説明】
【００９５】
１０    画像処理装置
１１    通信Ｉ／Ｆ部
１３    記憶部
１３ａ  画像データ
１３ｂ  切出し設定データ
１３ｃ  区画図データ
１５    制御部
１５ａ  取得部
１５ｂ  分割部
１５ｃ  切出し部
１５ｄ  付加部
１５ｅ  統合部
１５ｆ  提供部
３０    クライアント端末
【図１】
0005962241.tif 000002
【図２】
0005962241.tif 000003
【図３】
0005962241.tif 000004
【図４】
0005962241.tif 000005
【図５】
0005962241.tif 000006
【図６】
0005962241.tif 000007
【図７】
0005962241.tif 000008
【図８】
0005962241.tif 000009
【図９】
0005962241.tif 000010
【図１０】
0005962241.tif 000011
【図１１】
0005962241.tif 000012
【図１２】
0005962241.tif 000013
【図１３】
0005962241.tif 000014
【図１４】
0005962241.tif 000015
【図１５】
0005962241.tif 000016
【図１６】
0005962241.tif 000017